(57)【要約】【課題】装着されているチューブを識別可能、あるいはチューブの異常を検知可能な血液浄化装置を提供する。【解決手段】患者の血液を体外循環させる血液回路２と、血液回路２、あるいは血液回路に設けられた血液浄化器３に供給液を供給する液供給回路４と、血液浄化器３から排液が排出される排液回路５と、を備え、血液回路２、液供給回路４、及び排液回路５の各回路が可撓性を有するチューブを用いて構成されており、かつ、各回路が内径の異なる複数種類のチューブを適用可能に構成されており、血液回路２、液供給回路４、または排液回路５に設けられた蠕動型のポンプを所定時間駆動することによって生じる当該ポンプの送液量または回路内の圧力変動に基づき、血液回路２、液供給回路４、または排液回路５に使用されているチューブの識別、あるいはチューブの異常の有無の判定を行うチューブ識別処理を行うチューブ識別部１１を備えた。【選択図】図１
2020103832.tif 000002
【特許請求の範囲】
【請求項１】
患者の血液を体外循環させる血液回路と、
前記血液回路、あるいは前記血液回路に設けられた血液浄化器に供給液を供給する液供給回路と、
前記血液浄化器から排液が排出される排液回路と、を備え、
前記血液回路、前記液供給回路、及び前記排液回路の各回路が可撓性を有するチューブを用いて構成されており、
前記血液回路、前記液供給回路、または前記排液回路に設けられた蠕動型のポンプを所定時間駆動することによって生じる当該ポンプの送液量または回路内の圧力変動に基づき、前記血液回路、前記液供給回路、または前記排液回路に使用されているチューブの識別、あるいはチューブの異常の有無の判定を行うチューブ識別処理を行うチューブ識別部を備えた、
血液浄化装置。
【請求項２】
前記供給液の供給量と、前記排液の排出量とを基に、除水量を検出する除水量検出部を備え、
前記除水量検出部は、前記液供給回路に設けられ前記供給液を一時的に貯留する供給液小分けチャンバ、前記排液回路に設けられ前記排液を一時的に貯留する排液小分けチャンバ、及び、前記供給液小分けチャンバと前記排液小分けチャンバの合計の重さを検出する重さ検出機構を有し、
前記チューブ識別部は、前記除水量検出部の前記重さ検出機構により、前記液供給回路または前記排液回路に設けられた前記ポンプを所定時間駆動した際の前記ポンプの送液量を検出する、
請求項１に記載の血液浄化装置。
【請求項３】
前記チューブ識別部は、血液浄化治療の前に各回路に液を充填するプライミングの際に、前記チューブ識別処理を行う、
請求項１または２に記載の血液浄化装置。
【請求項４】
予め設定された前記各回路に使用するチューブと、前記チューブ識別部が識別した前記各回路に実際に使用されているチューブとが一致しないとき、警報を発する警報部を備えた、
請求項１乃至３の何れか１項に記載の血液浄化装置。
【請求項５】
所定の画面を表示する表示器を備え、
前記警報部は、前記表示器に警報の内容に応じた警報画面を表示させることによって警報を発する、
請求項４に記載の血液浄化装置。
【請求項６】
前記警報画面には、予め設定されたチューブの設定変更の操作を受け付ける設定変更受付部が表示される、
請求項５に記載の血液浄化装置。
【請求項７】
前記チューブ識別部は、前記ポンプを所定時間駆動した際の前記ポンプの送液量または前記圧力変動が、予め設定された正常範囲内に含まれるか否かに基づき、使用されているチューブの異常の有無を判定する、
請求項１乃至６の何れか１項に記載の血液浄化装置。
【請求項８】
前記チューブ識別処理時の前記ポンプの送液量または前記圧力変動の測定結果を基に、当該測定の際に駆動した前記ポンプのポンプ速度を補正するポンプ速度補正部を備えた、
請求項１乃至７の何れか１項に記載の血液浄化装置。
【発明の詳細な説明】
【技術分野】
【０００１】
本発明は、血液浄化装置に関する。
【背景技術】
【０００２】
血液浄化装置として、内径が異なり、プライミングボリューム（ＰＶ）が異なる複数種類のチューブを血液回路等に適用可能なものが知られている。例えば、患者の体重等に応じて、大人向けの標準ＰＶ回路用のチューブと、新生児等の低体重患者向けの低ＰＶ回路用のチューブとを使い分けることが一般に行われている。
【０００３】
なお、この出願の発明に関連する先行技術文献情報としては、特許文献１がある。
【先行技術文献】
【特許文献】
【０００４】
【特許文献１】特開２０１７−８０２６６号公報
【発明の概要】
【発明が解決しようとする課題】
【０００５】
大人患者向けの標準ＰＶ回路を適用した場合と、新生児など低体重患者向けの低ＰＶ回路を適用した場合とでは、治療時の目標流量範囲が異なる等、具体的な制御内容が異なるのが一般的である。そのため、制御用に設定したチューブのプライミングボリュームと、実際に装着されているチューブのプライミングボリュームとが異なると、意図しない流量制御をしてしまうおそれがある。また、チューブに異常がある場合にも、意図しない流量制御をしてしまうおそれがある。
【０００６】
そこで、本発明は、装着されているチューブを識別可能、あるいはチューブの異常を検知可能な血液浄化装置を提供することを目的とする。
【課題を解決するための手段】
【０００７】
上記課題を解決することを目的として、請求項１に係る発明は、患者の血液を体外循環させる血液回路と、前記血液回路、あるいは前記血液回路に設けられた血液浄化器に供給液を供給する液供給回路と、前記血液浄化器から排液が排出される排液回路と、を備え、前記血液回路、前記液供給回路、及び前記排液回路の各回路が可撓性を有するチューブを用いて構成されており、前記血液回路、前記液供給回路、または前記排液回路に設けられた蠕動型のポンプを所定時間駆動することによって生じる当該ポンプの送液量または回路内の圧力変動に基づき、前記血液回路、前記液供給回路、または前記排液回路に使用されているチューブの識別、あるいはチューブの異常の有無の判定を行うチューブ識別処理を行うチューブ識別部を備えた、血液浄化装置を提供する。
【０００８】
請求項２に係る発明は、前記供給液の供給量と、前記排液の排出量とを基に、除水量を検出する除水量検出部を備え、前記除水量検出部は、前記液供給回路に設けられ前記供給液を一時的に貯留する供給液小分けチャンバ、前記排液回路に設けられ前記排液を一時的に貯留する排液小分けチャンバ、及び、前記供給液小分けチャンバと前記排液小分けチャンバの合計の重さを検出する重さ検出機構を有し、前記チューブ識別部は、前記除水量検出部の前記重さ検出機構により、前記液供給回路または前記排液回路に設けられた前記ポンプを所定時間駆動した際の前記ポンプの送液量を検出する、請求項１に記載の血液浄化装置である。
【０００９】
請求項３に係る発明は、前記チューブ識別部は、血液浄化治療の前に各回路に液を充填するプライミングの際に、前記チューブ識別処理を行う、請求項１または２に記載の血液浄化装置である。
【００１０】
請求項４に係る発明は、予め設定された前記各回路に使用するチューブと、前記チューブ識別部が識別した前記各回路に実際に使用されているチューブとが一致しないとき、警報を発する警報部を備えた、請求項１乃至３の何れか１項に記載の血液浄化装置である。
【００１１】
請求項５に係る発明は、所定の画面を表示する表示器を備え、前記警報部は、前記表示器に警報の内容に応じた警報画面を表示させることによって警報を発する、請求項４に記載の血液浄化装置である。
【００１２】
請求項６に係る発明は、前記警報画面には、予め設定されたチューブの設定変更の操作を受け付ける設定変更受付部が表示される、請求項５に記載の血液浄化装置である。
【００１３】
請求項７に係る発明は、前記チューブ識別部は、前記ポンプを所定時間駆動した際の前記ポンプの送液量または前記圧力変動が、予め設定された正常範囲内に含まれるか否かに基づき、使用されているチューブの異常の有無を判定可能に構成されている、請求項１乃至６の何れか１項に記載の血液浄化装置である。
【００１４】
請求項８に係る発明は、前記チューブ識別処理時の前記ポンプの送液量または前記圧力変動の測定結果を基に、当該測定の際に駆動した前記ポンプのポンプ速度を補正するポンプ速度補正部を備えた、請求項１乃至７の何れか１項に記載の血液浄化装置である。
【発明の効果】
【００１５】
請求項１に係る発明によれば、装着されているチューブを識別可能、あるいはチューブの異常を検知可能な血液浄化装置を提供できる。
【００１６】
請求項２に係る発明によれば、除水量の検出機構を兼用することで、センサを追加で設けることなく、低コストで回路を識別できる。
【００１７】
請求項３に係る発明によれば、治療開始前に回路の適否を判断できるため、不適な回路を用いて治療することを未然に防止できる。
【００１８】
請求項４に係る発明によれば、警報によって適切な対応をユーザに促せる。
【００１９】
請求項５に係る発明によれば、ユーザが警報の内容を容易に知ることができ、利便性が向上する。
【００２０】
請求項６に係る発明によれば、チューブの設定が誤っている場合には、一から設定を行うことなく、警報画面から直接設定変更を行えるようになり、利便性が向上する。
【００２１】
請求項７に係る発明によれば、異常な回路か否かを判定できるため、判定後、異常な回路の使用を抑制できる。
【００２２】
請求項８に係る発明によれば、適切なポンプ速度で送液することが出来ると共に、共通の測定結果（ポンプの送液量又は圧力変動）で、チューブ識別とポンプ速度補正を行うことが可能である。
【図面の簡単な説明】
【００２３】
【図１】本発明の一実施の形態に係る血液浄化装置の概略構成図である。
【図２】（ａ），（ｂ）は設定されたチューブと使用されているチューブが一致しない場合の警報画面の表示例、（ｃ）はチューブが異常と判定された場合の警報画面の表示例を示す図である。
【図３】チューブ識別処理の制御フローを示すフロー図である。
【発明を実施するための形態】
【００２４】
［実施の形態］
以下、本発明の実施の形態を添付図面にしたがって説明する。
【００２５】
図１は、本実施の形態に係る血液浄化装置の概略構成図である。図１に示すように、血液浄化装置１は、患者の血液を体外循環させる血液回路２と、血液回路２に設けられ血液を浄化する血液浄化器３と、血液浄化器３、あるいは血液回路２に供給液を供給する液供給回路４と、血液浄化器３から排液が排出される排液回路５と、を備えている。
【００２６】
血液回路２、液供給回路４（後述する透析液回路６と補充液回路７）、及び排液回路５は、可撓性を有するチューブを用いて構成されており、内径（プライミングボリューム）の異なる複数の種類のチューブを適用可能に構成されている。基本的に、各回路に使用するチューブはセットになっており、全ての回路で同じ種類（同じ内径、同じプライミングボリューム）のチューブが使用される。
【００２７】
血液回路２の一端には、動脈側穿刺針２１が設けられ、他端には静脈側穿刺針２２が設けられている。また、血液回路２には、動脈側穿刺針２１側から静脈側穿刺針２２側にかけて、第１気泡検出装置２３、血液ポンプ２４、血液浄化器３、気液分離器２５、第２気泡検出装置２６が順次設けられている。第１気泡検出装置２３及び第２気泡検出装置２６は、気泡を検出する気泡検出センサを有し、気泡を検出したときに血液回路２をクランプする（挟み込んで閉塞する）機構を有している。
【００２８】
血液ポンプ２４は、チューブをしごいて血液を血液浄化器３側へと流動させる蠕動型のポンプからなる。血液浄化器３は、ダイアライザとも呼称されるものであり、図示しない血液浄化膜を介して血液と透析液とを接触させることで、血液を浄化するものである。気液分離器２５は、気泡を除去し液体のみを静脈側穿刺針２２側に通すように構成されている。
【００２９】
本実施の形態では、血液浄化装置１で様々な治療を可能とするため、液供給回路４として、透析液を供給する透析液回路６と、補充液を供給する補充液回路７の両回路を有している。ただし、血液浄化装置１は、透析液回路６と補充液回路７のどちらか一方のみを有していてもよい。
【００３０】
透析液回路６の一端には、透析液を収容する透析液収容バッグ６１が接続されている。透析液回路６の他端は、血液浄化器３の透析液導入口に接続されている。透析液回路６には、透析液収容バッグ６１側から血液浄化器３側にかけて、透析液移送ポンプ６２、透析液を一時的に貯留する透析液小分けチャンバ６３、透析液ポンプ６４、透析液加熱器６５が順次設けられている。透析液小分けチャンバ６３は、本発明の供給液小分けチャンバの一態様である。
【００３１】
透析液移送ポンプ６２及び透析液ポンプ６４は、チューブをしごいて透析液を流動させる蠕動型のポンプからなる。透析液移送ポンプ６２は、透析液収容バッグ６１内の透析液を透析液小分けチャンバ６３に移送するために用いられる。透析液ポンプ６４は、透析液小分けチャンバ６３内の透析液を血液浄化器３側に流動させるために用いられる。透析液小分けチャンバ６３を有することで、治療を中断させずに透析液収容バッグ６１を交換することが可能になる。透析液加熱器６５は、患者に戻す血液の温度を下げてしまわないように、透析液を適宜な温度に加熱するためのものである。
【００３２】
補充液回路７の一端には、補充液を収容する補充液収容バッグ７１が接続されている。補充液収容バッグ７１の下流の補充液回路７には、補充液移送ポンプ７２、補充液を一時的に貯留する補充液小分けチャンバ７３、補充液ポンプ７４、補充液加熱器７５、補充液用気液分離器７６が順次設けられている。補充液小分けチャンバ７３は、本発明の供給液小分けチャンバの一態様である。
【００３３】
また、補充液回路７は、補充液用気液分離器７６の下流で分岐し、分岐した一方の補充液回路７である前補液回路７ａの端部は、血液浄化器３と血液ポンプ２４の間の血液回路２に接続されている。前補液回路７ａには、前補液用ポンプ７７が設けられている。分岐した他方の補充液回路７である後補液回路７ｂの端部は、血液回路２の気液分離器２５に接続されている。
【００３４】
補充液移送ポンプ７２、補充液ポンプ７４、及び前補液用ポンプ７７は、チューブをしごいて透析液を流動させる蠕動型のポンプからなる。補充液移送ポンプ７２は、補充液収容バッグ７１内の補充液を補充液小分けチャンバ７３に移送するために用いられる。補充液ポンプ７４は、補充液小分けチャンバ７３内の補充液を血液回路２側に流動させるために用いられる。前補液用ポンプ７７は、血液浄化器３の上流側の血液回路２に補充液を供給する「前補液」を行う際に駆動される。前補液用ポンプ７７を駆動しない場合、補充液ポンプ７４にて送液された補充液は後補液回路７ｂを通り、血液浄化器３の下流側の血液回路２（ここでは気液分離器２５）に補充液を供給する「後補液」が行われる。
【００３５】
補充液小分けチャンバ７３を有することで、治療を中断させずに補充液収容バッグ７１を交換することが可能になる。補充液加熱器７５は、患者に戻す血液の温度を下げてしまわないように、補充液を適宜な温度に加熱するためのものである。補充液用気液分離器７６は、補充液から気泡を分離除去するためのものである。
【００３６】
排液回路５の一端は、血液浄化器３の排液出口に接続されている。血液浄化器３の下流の排液回路５には、排液ポンプ５１、排液を一時的に貯留する排液小分けチャンバ５２、排出用ポンプ５３が順次設けられている。排液回路５の他端は、装置外に排液を排出する排液出口５４となっている。
【００３７】
排液ポンプ５１及び排出用ポンプ５３は、チューブをしごいて透析液を流動させる蠕動型のポンプからなる。排液ポンプ５１は、排液を排液小分けチャンバ５２に送液するために用いられる。排出用ポンプ５３は、排液小分けチャンバ５２内の排液を排液出口５４側へ排出するために用いられる。
【００３８】
また、血液浄化装置１は、供給液と排液の水収支量である除水量を検出する除水量検出部１０を有している。除水量検出部１０は、上述の各小分けチャンバ６３，７３，５２と、各小分けチャンバ６３，７３，５２の合計の重さを検出可能な重さ検出機構としての荷重計８と、変化量演算部９１と、を有している。なお、除水量とは、供給液と排液の水収支量がマイナスである場合の水収支量である。以下の説明では、水収支量がマイナスである場合について説明し、水収支量を除水量に統一して説明するが、本発明は、供給液と排液の水収支量がプラスの場合（例えば補液を行う場合）も適用可能である。
【００３９】
荷重計８は、透析液小分けチャンバ６３、補充液小分けチャンバ７３、及び排液小分けチャンバ５２の合計の重さを検出可能に構成されている。荷重計８の検出値は、制御装置９に出力される。
【００４０】
例えば、除水量が０（ゼロ）の場合、透析液や補充液の供給量と、排液の排出量とが等しくなる。よって、透析液や補充液の小分けチャンバ６３，７３からの減少量と、排液小分けチャンバ５２での排液の増加量が等しくなり、荷重計８の検出値は時間的に変化しない。これに対して、除水量が大きくなると、透析液や補充液の小分けチャンバ６３，７３からの減少量よりも、排液小分けチャンバ５２での排液の増加量が大きくなる。よって、荷重計８の検出値は徐々に大きくなる。よって、荷重計８の検出値の時間変化（重さの変化量）を検出することで、除水量を検出することができる。
【００４１】
本実施の形態では、荷重計８の検出値の時間変化、すなわち重さ検出機構で検出された重さの変化量（単位時間あたりの重さの変化量、すなわち傾き）を、除水量の指標として用いた。この重さの変化量を演算する際の荷重の測定時間を検出時間と呼称する。変化量演算部９１は、設定された検出時間での重さの変化量を演算する。変化量演算部９１は、制御装置９に搭載され、ＣＰＵ等の演算素子、メモリ、記憶装置、ソフトウェア、インターフェイス等を適宜組み合わせて実現される。
【００４２】
変化量演算部９１は、設定された検出時間（除水量検出部１０が除水量を検出する時間）よりも短い時間で設定された所定の時間毎に荷重計８で測定された荷重のデータを用い、最小二乗法により、当該検出時間での重さの変化量（傾き）を演算するとよい。これにより、各ポンプの脈動により発生する荷重の検出値の乱れを抑制でき、より精度の高いポンプ速度（ポンプ流量）の補正が可能になる。
【００４３】
この血液浄化装置１では、収容バッグ６１，７１内の透析液や補充液を移送ポンプ６２，７２により小分けチャンバ６３，７３に移送すると共に、排液小分けチャンバ５２内の排液を排出用ポンプ５３により排出する計測準備フェーズと、移送ポンプ６２，７２及び排出用ポンプ５３を停止し、荷重計８による測定を実施して重さの変化量を求める計測フェーズとを繰り返すようになっている。計測準備フェーズで小分けチャンバ６３，７３に移送する透析液や補充液の量を変えることで、計測フェーズの継続時間、すなわち上述の検出時間を適宜変化させることができる。例えば、長い検出時間としたい場合には、計測準備フェーズで小分けチャンバ６３，７３に移送する透析液や補充液の量を多くする。なお、各ポンプ（血液ポンプ２４、透析液移送ポンプ６２、透析液ポンプ６４、補充液移送ポンプ７２、補充液ポンプ７４、前補液用ポンプ７７、排液ポンプ５１、及び排出用ポンプ５３）の制御は、制御装置９により行われる。
【００４４】
また、血液浄化装置１は、除水量検出部１０で検出した除水量が、目標除水量と一致するように、液供給ポンプ（透析液ポンプ６４及び補充液ポンプ７４）と排液ポンプ５１の一方または両方のポンプ速度（ポンプ流量）を補正する除水量制御部９２を備えている。本実施の形態では、除水量制御部９２は、変化量演算部９１で演算された重さの変化量（傾き）が、目標除水量となる重さの変化量（傾き）の目標値と一致するように、ポンプ速度を補正するように構成されている。速やかに除水量を制御できるように、除水量制御部９２は、ＰＩＤ制御やＰＩ制御などのフィードバック制御を用いて、重さの変化量（傾き）が目標値に近づくように制御する。除水量制御部９２は、制御装置９に搭載され、ＣＰＵ等の演算素子、メモリ、記憶装置、ソフトウェア、インターフェイス等を適宜組み合わせて実現される。
【００４５】
なお、液供給ポンプ（透析液ポンプ６４及び補充液ポンプ７４）と排液ポンプ５１の両方のポンプ速度を補正してもよいが、制御が複雑となるため、どちらか一方を一定のポンプ速度のままで維持し、他方のポンプ速度を補正することがより望ましい。また、透析液ポンプ６４と補充液ポンプ７４の両方を用いる場合（透析と補液の両方の治療を同時に行う場合）には、より制御を簡単にするため、排液ポンプ５１のポンプ速度を補正するように構成するとよい。
【００４６】
（チューブ識別処理）
本実施の形態に係る血液浄化装置１では、血液回路２、液供給回路４、または排液回路５に設けられた蠕動型のポンプを所定時間駆動することによって生じる当該ポンプの送液量または回路内の圧力変動に基づき、血液回路２、液供給回路４、または排液回路５に使用されているチューブを識別するチューブ識別処理を行うチューブ識別部１１を備えている。本実施の形態では、チューブ識別部１１は、標準ＰＶ回路用のチューブが用いられているか、あるいは低ＰＶ回路用のチューブが用いられているかを識別する。すなわち、チューブ識別部１１は、各回路に使用されているチューブとして、どのような内径（あるいは流路断面積、あるいはプライミングボリューム）のチューブが用いられているかを識別する。なお、標準ＰＶ回路とは、プライミングボリュームが標準量の血液浄化用回路（血液回路２、液供給回路４、排液回路５）であり、低ＰＶ回路とは、プライミングボリュームが低量の血液浄化用回路（血液回路２、液供給回路４、排液回路５）である。本実施の形態では、チューブ識別部１１が、標準ＰＶ回路用のチューブが用いられているか、あるいは低ＰＶ回路用のチューブが用いられているかを識別するが、これに限らず、チューブ識別部１１は、プライミングボリュームの異なる複数の回路が適用可能とされている場合に、どの回路に使用されているチューブかを識別するものであればよい。
【００４７】
本実施の形態では、チューブ識別部１１は、除水量検出部１０の重さ検出機構、すなわち荷重計８の検出結果より、液供給回路４または排液回路５に設けられたポンプを所定時間駆動した際のポンプの送液量を検出する識別部９３を有している。識別部９３は、制御装置９に搭載され、ＣＰＵ等の演算素子、メモリ、記憶装置、ソフトウェア、インターフェイス等を適宜組み合わせて実現される。
【００４８】
本実施の形態において、チューブ識別時に駆動するポンプとしては、透析液移送ポンプ６２、透析液ポンプ６４、補充液移送ポンプ７２、補充液ポンプ７４、排液ポンプ５１、または排出用ポンプ５３のいずれかを用いることができる。詳細は後述するが、本実施の形態では、チューブ識別処理時に測定したポンプの送液量を利用して、ポンプ速度（ポンプ流量）の補正を行うことが出来るため、ポンプ速度（ポンプ流量）の精度がより求められる透析液ポンプ６４、補充液ポンプ７４、または排液ポンプ５１を、チューブ識別処理時に駆動するポンプとすることがより望ましい。以下では、一例として、チューブ識別処理時に透析液ポンプ６４を駆動する場合について説明する。なお、チューブ識別処理時には、荷重計８の検出結果に影響が出ないように、他のポンプは停止させるとよい。
【００４９】
上述ように、本実施の形態では、除水量の検出のために設けられている荷重計８を利用して、ポンプの送液量の検出を行っている。そのため、チューブ識別処理を低コストに実現可能であり、また荷重計８を有する既存の装置に容易に適用可能である。ただし、チューブ識別処理時にポンプを駆動した際のポンプの送液量を検出する手段はこれに限定されず、例えば、流量計等を用いてもよい。
【００５０】
識別部９３は、透析液ポンプ６４を所定時間（所定の回転数）駆動させ、当該駆動の前後での荷重計８で検出した荷重の変化量を検出する。この荷重の変化量が、予め設定した標準ＰＶ用閾値範囲内にある場合、識別部９３は、各回路に標準ＰＶ回路用のチューブが用いられていると判断する。同様に、荷重計で検出した荷重の変化量が、予め設定した低ＰＶ用閾値範囲内にある場合、識別部９３は、各回路に低ＰＶ回路用のチューブが用いられていると判断する。標準ＰＶ用閾値範囲、及び低ＰＶ用閾値範囲は、チューブの製造公差や治療条件（ポンプの入り口側圧力の変化）による誤差を考慮して、適宜な数値範囲に設定される。
【００５１】
また、本実施の形態では、識別部９３は、荷重計で検出した荷重の変化量が、予め設定された正常範囲に含まれるか否かに基づき、使用されているチューブの異常の有無を判定可能に構成されている。より具体的には、識別部９３は、荷重計で検出した荷重の変化量が、上述の標準ＰＶ用閾値範囲、及び低ＰＶ用閾値範囲に含まれないとき、チューブに異常があると判定する。
【００５２】
治療開始後に各回路のチューブを交換するのは困難が伴うため、治療の開始前に、チューブ識別処理を行うことが望ましいといえる。本実施の形態では、識別部９３は、血液浄化治療の前に各回路に生理食塩水や透析液等の液を充填するプライミングの際（例えば各回路に液を導入する際）に、チューブ識別処理を行うように構成されている。つまり、チューブ識別処理時に駆動されるポンプは、プライミング用の生理食塩水を吐出し、その生理食塩水の送液量を検出することで、各回路に使用されているチューブの識別が行われる。
【００５３】
なお、血液回路２に設けられた血液ポンプ２４を用いて、使用されているチューブの識別を行う事も可能である。この場合、血液ポンプ２４の送液量（吐出量）を測定する流量センサを用いて、血液ポンプ２４を所定時間駆動させた際の流量をもとめてもよい。また、例えば、第１気泡検出装置２３にて血液回路２をクランプした（閉塞させた）状態で血液ポンプ２４を所定時間駆動させ、血液ポンプ２４の入り口側（第１気泡検出装置２３側）の圧力変動を圧力センサにより測定することで、血液ポンプ２４の流量を推定することも可能である。
【００５４】
また、血液浄化装置１は、予め設定された各回路に使用するチューブの種類と、チューブ識別部１１（識別部９３）が識別した各回路に実際に使用されているチューブの種類とが一致しないとき、及び、チューブ識別部１１（識別部９３）がチューブの異常を検知したときに、警報を発する警報部１２を備えている。
【００５５】
警報部１２は、光や音、振動等により警報を発する警報装置９４ａと、警報装置９４ａを制御する警報制御部９４と、を有している。警報装置９４ａは、例えば、音により警告音を発するブザーや、警告灯を点灯あるいは点滅させる機構等からなる。警報制御部９４は、制御装置９に搭載され、ＣＰＵ等の演算素子、メモリ、記憶装置、ソフトウェア、インターフェイス等を適宜組み合わせて実現される。
【００５６】
本実施の形態では、血液浄化装置１は、操作案内や装置の状態、治療の状態等を示す所定の画面を表示する表示器１００を備えている。また、警報部１２の警報制御部９４は、図２（ａ）〜（ｃ）に示すように、表示器１００に警報の内容に応じた警報画面１０１を表示させることによって警報を発するように構成されている。
【００５７】
例えば、低ＰＶ回路に設定されているのに標準ＰＶ回路用のチューブが装着されている場合には、図２（ａ）に示すように、警報画面１０１のメッセージ部１０１ａに、「標準ＰＶ回路が装着されています」、「設定と装着されている回路が異なります」といったメッセージや対処の仕方が表示される。また、例えば、標準ＰＶ回路に設定されているのに低ＰＶ回路用のチューブが装着されている場合には、図２（ｂ）に示すように、警報画面１０１のメッセージ部１０１ａに、「低ＰＶ回路が装着されています」、「設定と装着されている回路が異なります」といったメッセージや対処の仕方が表示される。
【００５８】
本実施の形態では、警報画面１０１には、予め設定されたチューブの設定変更の操作を受け付ける設定変更受付部１０１ｂが表示される。つまり、本実施の形態では、設定されているチューブと装着されているチューブとが異なる場合には、警報画面１０１の設定変更受付部１０１ｂで設定変更を行うことが可能になっている。これにより、設定を一からやり直す必要がなくなるため、利便性が向上する。なお、本実施の形態では、表示器１０１としてタッチパネル式のものを用い、チューブの設定変更時の入力をタッチ操作により行えるようにしたが、例えば、ハードキーにより入力を行うようにしてもよく、入力装置については特に限定されない。
【００５９】
また、チューブの異常が検知された場合には、図２（ｃ）に示すように、警報画面１０１のメッセージ部１０１ａに、「総補充液ポンプ吐出量異常」、「血液回路のポンプ吐出量に異常を検知しました」といったメッセージや対処の仕方が表示される。
【００６０】
さらに、血液浄化装置１は、チューブ識別処理時のポンプ流量またはポンプの前後の回路内での圧力変動の測定結果（ここでは、ポンプ駆動前後の荷重の変化量）を基に、当該測定の際に駆動したポンプ（ここでは透析液ポンプ６４）のポンプ速度を補正するポンプ速度補正部９５を備えている。上述のように、透析液ポンプ６４等のポンプ速度（ポンプ流量）は、治療開始後に除水量制御部９２により補正がなされるが、ポンプ速度補正部９５を備えることで、治療開始時点でポンプ速度が補正された値になるため、より徐水量の誤差を少なくし、高価な透析液や補充液を無駄に使用してしまうことを抑制できる。ポンプ速度補正部９５は、制御装置９に搭載され、ＣＰＵ等の演算素子、メモリ、記憶装置、ソフトウェア、インターフェイス等を適宜組み合わせて実現される。
【００６１】
本実施の形態では、透析液ポンプ６４の駆動のみでチューブ識別処理を行ったが、複数のポンプを用いて複数回チューブ識別処理を行ってもよい。例えば、透析液ポンプ６４、補充液ポンプ７４、及び排液ポンプ５１のそれぞれを用いてチューブ識別処理を行うことで、透析液回路６、補充液回路７、及び排液回路５のそれぞれの異常の有無を検知でき、かつ、各ポンプ６４，７４，５１のポンプ速度（ポンプ流量）を補正した状態で治療の開始を行うことができ、治療開始時から高精度に徐水量を管理することが可能になる。
【００６２】
図３は、チューブ識別処理の制御フローを示すフロー図である。図３の制御フローは、プライミングによって各回路に生理食塩水が満たされたときに実行される。
【００６３】
図３に示すように、まず、ステップＳ１にて、透析液移送ポンプ６２を駆動して透析液小分けチャンバ６３に生理食塩水を充填し、その際の荷重を荷重計８により測定する。その後、ステップＳ２にて、透析液ポンプ６４を所定時間駆動し停止する。このとき、透析液ポンプ６４以外のポンプは停止しておく。その後、ステップＳ３にて、荷重計８により荷重を測定し、ステップＳ４にて、ステップＳ１で求めた初期の荷重からの変化量を求める。
【００６４】
その後、ステップＳ５にて、ステップＳ４で求めた荷重の変化量が、標準ＰＶ用閾値範囲内にあるかを判定する。ステップＳ５でＹｅｓと判定された場合、ステップＳ６にて、使用されているチューブが標準ＰＶ回路用のチューブであると判定し、ステップＳ１１に進む。
【００６５】
ステップＳ５でＮｏと判定された場合、ステップＳ７にて、ステップＳ４で求めた荷重の変化量が、低ＰＶ用閾値範囲内にあるかを判定する。ステップＳ７でＹｅｓと判定された場合、ステップＳ８にて、使用されているチューブが低ＰＶ回路用のチューブであると判定し、ステップＳ１１に進む。ステップＳ７でＮｏと判定された場合、ステップＳ９にて、チューブに異常があると判定し、ステップＳ１０にて、チューブ異常時の警報を発し、処理を終了する。
【００６６】
ステップＳ１１では、設定されたチューブの種類と、使用されているチューブの種類が一致するかを判定する。ステップＳ１１でＹｅｓと判定された場合、処理を終了する。ステップＳ１１でＮｏと判定された場合、ステップＳ１２にて、チューブ不一致時の警報を発し、処理を終了する。
【００６７】
（実施の形態の作用及び効果）
以上説明したように、本実施の形態に係る血液浄化装置１では、血液回路２、液供給回路４、または排液回路５に設けられた蠕動型のポンプを所定時間駆動することによって生じる当該ポンプの送液量または回路内の圧力変動に基づき、血液回路２、液供給回路４、または排液回路５に使用されているチューブの識別、あるいはチューブの異常の有無の判定を行うチューブ識別処理を行うチューブ識別部１１を備えている。
【００６８】
チューブ識別部１１を備えることで、設定と異なるプライミングボリュームのチューブを使用してしまうことを抑制したり、チューブの異常を検知したりでき、より安全に治療を行うことが可能になる。その結果、意図しない流量制御が行われ、意図した治療効果が得られないといった不具合を抑制できる。
【００６９】
（実施の形態のまとめ）
次に、以上説明した実施の形態から把握される技術思想について、実施の形態における符号等を援用して記載する。ただし、以下の記載における各符号等は、特許請求の範囲における構成要素を実施の形態に具体的に示した部材等に限定するものではない。
【００７０】
［１］患者の血液を体外循環させる血液回路（２）と、前記血液回路（２）、あるいは前記血液回路に設けられた血液浄化器（３）に供給液を供給する液供給回路（４）と、前記血液浄化器（３）から排液が排出される排液回路（５）と、を備え、前記血液回路（２）、前記液供給回路（４）、及び前記排液回路（５）の各回路が可撓性を有するチューブを用いて構成されており、かつ、前記各回路が内径の異なる複数種類のチューブを適用可能に構成されており、前記血液回路（２）、前記液供給回路（４）、または前記排液回路（５）に設けられた蠕動型のポンプを所定時間駆動することによって生じる当該ポンプの送液量または回路内の圧力変動に基づき、前記血液回路（２）、前記液供給回路（４）、または前記排液回路（５）に使用されているチューブの識別、あるいはチューブの異常の有無の判定を行うチューブ識別処理を行うチューブ識別部（１１）を備えた、血液浄化装置（１）。
【００７１】
［２］前記供給液の供給量と、前記排液の排出量とを基に、除水量を検出する除水量検出部（１０）を備え、前記除水量検出部は、前記液供給回路（４）に設けられ前記供給液を一時的に貯留する供給液小分けチャンバ（６３，７３）、前記排液回路（５）に設けられ前記排液を一時的に貯留する排液小分けチャンバ（５２）、及び、前記供給液小分けチャンバ（６３，７３）と前記排液小分けチャンバ（５２）の合計の重さを検出する重さ検出機構（８）を有し、前記チューブ識別部（１１）は、前記除水量検出部（１０）の前記重さ検出機構（８）により、前記液供給回路（４）または前記排液回路（５）に設けられた前記ポンプを所定時間駆動した際の前記ポンプの送液量を検出する、［１］に記載の血液浄化装置（１）。
【００７２】
［３］前記チューブ識別部（１１）は、血液浄化治療の前に各回路に液を充填するプライミングの際に、前記チューブ識別処理を行う、［１］または［２］に記載の血液浄化装置（１）。
【００７３】
［４］予め設定された前記各回路に使用するチューブと、前記チューブ識別部（１１）が識別した前記各回路に実際に使用されているチューブとが一致しないとき、警報を発する警報部（１２）を備えた、［１］乃至［３］の何れか１項に記載の血液浄化装置（１）。
【００７４】
［５］所定の画面を表示する表示器（１００）を備え、前記警報部（１２）は、前記表示器（１００）に警報の内容に応じた警報画面（１０１）を表示させることによって警報を発する、［４］に記載の血液浄化装置（１）。
【００７５】
［６］前記警報画面（１０１）には、予め設定されたチューブの設定変更の操作を受け付ける設定変更受付部（１０１ｂ）が表示される、［５］に記載の血液浄化装置（１）。
【００７６】
［７］チューブ識別部（１１）は、前記ポンプを所定時間駆動した際の前記ポンプの送液量または前記圧力変動が、予め設定された正常範囲内に含まれるか否かに基づき、使用されているチューブの異常の有無を判定する、［１］乃至［６］の何れか１項に記載の血液浄化装置（１）。
【００７７】
［８］前記チューブ識別処理時の前記ポンプの送液量または前記圧力変動の測定結果を基に、当該測定の際に駆動した前記ポンプのポンプ速度を補正するポンプ速度補正部（９５）を備えた、［１］乃至［７］の何れか１項に記載の血液浄化装置（１）。
【００７８】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００７９】
また、本発明は、その趣旨を逸脱しない範囲で適宜変形して実施することが可能である。例えば、上記実施の形態では、各回路に断面形状が円形状のチューブを用いたが、これに限らず、例えば断面形状が楕円形状、角丸四角形状、あるいは多角形状であってもよい。
【符号の説明】
【００８０】
１…血液浄化装置
２…血液回路
２４…血液ポンプ
３…血液浄化器
４…液供給回路
５…排液回路
５１…排液ポンプ
５２…排液小分けチャンバ
５３…排出用ポンプ
６…透析液回路
６２…透析液移送ポンプ
６３…透析液小分けチャンバ（供給液小分けチャンバ）
６４…透析液ポンプ
７…補充液回路
７２…補充液移送ポンプ
７３…補充液小分けチャンバ（供給液小分けチャンバ）
７４…補充液ポンプ
８…荷重計（重さ検出機構）
９…制御装置
９１…変化量演算部
９２…除水量制御部
９３…識別部
９４…警報制御部
９４ａ…警報装置
９５…ポンプ速度補正部
１０…除水量検出部
１１…チューブ識別部
１２…警報部
【図１】
2020103832.tif 000003
【図２】
2020103832.tif 000004
【図３】
2020103832.tif 000005